(57)【特許請求の範囲】
【請求項１】
呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、前記電動機の駆動軸との間に左右回転方向の遊びを設けた洗濯機等のポンプ装置。
【請求項２】
呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、前記電動機の駆動軸に設けたブッシュが当接するブッシュ当たり部と、羽根部とを二重成形にて構成し、前記ブッシュ当たり部より前記羽根部の硬度を低くし、前記羽根部に弾性をもたせた洗濯機等のポンプ装置。
【請求項３】
呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーと電動機の駆動軸との間に設けた遊びの空間部に、空間部の容積の５０％以上にダンパー用グリスを封入し、密閉部材で密閉した洗濯機等のポンプ装置。
【請求項４】
呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、羽根部とシュラウド部とを備え、前記シュラウド部は、前記羽根部との交点に凹状の逃がし部を設けた洗濯機等のポンプ装置。
【請求項５】
呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーケーシングは、呼び水と吸水口からの空気を混合した気水を吐出する吐出部を有し、前記吐出部は中心を略水平位置より上方とし、前記吐出部の真上方向に気水分離ガイドを設けた洗濯機等のポンプ装置。
【発明の詳細な説明】
【０００１】
【発明の属する技術分野】
本発明は、ポンプケース内に呼び水を貯水し、ポンプケース内に設けた吸水口より自吸水可能な洗濯機等のポンプ装置に関するものである。
【０００２】
【従来の技術】
従来、この種のポンプ装置は、図８および図９に示すように構成していた。以下、その構成について説明する。
【０００３】
図に示すように、ポンプケース１は、２個のボリュート２を設けて渦室３を形成し、吐出部４を気水分離室５に連通させている。渦室３の内部にランナー６を回転自在に設け、電動機７によりランナー６を駆動する。ボリュート２にボリュート２の内外を連通する戻り水用に穴８を設けている。吸水口９は、ホース（図示せず）などを連結し、風呂水などを吸入するもので、逆止弁１０を介して渦室３に連通している。吐出口１１は、気水分離室５に連通し、呼び水工程で気水分離した空気を排出するとともに、揚水工程で吸水口９から渦室３に吸入された水を吐出する。呼び水口１２は、ポンプケース１内に呼び水を供給するものである。
【０００４】
上記構成において動作を説明すると、吸水口９に接続したホースの先端を浴槽（図示せず）内の風呂水の中にいれ、呼び水口１２よりポンプケース１内に呼び水を供給した後、電動機７によりランナー６を駆動すると、ランナー６の回転により、ホース内の空気とポンプケース１内の呼び水が渦室３内に吸入されて気水混合され、気泡を含んだ水が吐出部４より吐出される。
【０００５】
気泡は気水分離室５を上昇するにしたがって水と分離されて吐出口１１より排出される。気泡を分離した水は穴８を通って渦室３内に循環される。このようにして、ホース内の空気が順次排出され、ホース内の空気がなくなると、風呂水などがホースを通して吸入されて、吐出口１１より吐出される。
【０００６】
【発明が解決しようとする課題】
このような従来の構成では、ランナー６を一方向回転させることにより自吸水させているが、ランナー６の回転数を８０００〜１００００ｒ／ｍｉｎにすることによって、ポンプ特性を確保しており、高速回転の電動機７を使用せざるをえず、特に代表的な整流子電動機においては騒音が非常に高く、さらにはブラシ磨耗に限界があり、耐久性に乏しい欠点があった。また電気的雑音が高く、雑音防止装置がいる等、実用的に不具合な問題を有していた。
【０００７】
また、ランナー６を高速回転させるため、呼び水工程で渦室３内で混合した気泡が細かくなりすぎて、気水分離力が低く、揚力特性が低いという問題を有していた。さらに、２個のボリュート２を設けた渦室３の形状が複雑で、形状が大きくなるという問題を有していた。
【０００８】
本発明は上記従来の課題を解決するもので、永久磁石回転子を用いた電動機によりランナーを低速回転して低騒音化し、耐久性を向上するとともに、小型にして洗濯機本体などの内部に容易に装着できるようにすることを目的としている。
【０００９】
【課題を解決するための手段】
本発明は上記目的を達成するために、ポンプケースに呼び水を貯水可能とし、このポンプケース内に吸水口に連通した渦室を形成するランナーケーシングを設け、このランナーケーシング内にランナーを回転自在に設け、このランナーを電動機により左右回転自在に駆動する。ランナーの左右いずれかの回転により、ポンプケース内の呼び水と吸水口からの空気を気水混合し、ポンプケース内で気水分離して自吸水するようにし、ランナーと電動機の駆動軸との間に遊びを設けたものである。
【００１０】
これにより、永久磁石回転子を用いた電動機によりランナーを左右回転自在に低速回転して低騒音化することができ、耐久性を向上できるとともに、小型にして洗濯機本体などの内部に容易に装着できるようにすることができる。
【００１１】
【発明の実施の形態】
本発明の請求項１に記載の発明の洗濯機等のポンプ装置は、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、前記電動機の駆動軸との間に左右回転方向の遊びを設けたものであり、一般に、回転子に永久磁石を使用した電動機は、起動時に回転方向が定まらないが、このような電動機によりランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することによりランナーを低速回転して低騒音化し、耐久性を向上するとともに、小型にして洗濯機本体などの内部に容易に装着することができる。さらに、一般に、回転子に永久磁石を使用した電動機は起動トルクが小さいが、電動機の起動トルクが小さくても、電動機の駆動軸との間に左右回転方向の遊びによって、ランナーを回転させることができ、渦室内でポンプケース内の呼び水と吸水口からの空気を気水混合することができ、ポンプケース内で気水分離して自吸水することができる。
【００１２】
請求項２に記載の発明の洗濯機等のポンプ装置は、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、前記電動機の駆動軸に設けたブッシュが当接するブッシュ当たり部と、羽根部とを二重成形にて構成し、前記ブッシュ当たり部より前記羽根部の硬度を低くし、前記羽根部に弾性をもたせたものであり、一般に、回転子に永久磁石を使用した電動機は、起動時に回転方向が定まらないが、このような電動機によりランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することによりランナーを低速回転して低騒音化し、耐久性を向上するとともに、小型にして洗濯機本体などの内部に容易に装着することができる。さらに、電動機の起動時にランナーのブッシュ当たり部には、電動機の駆動軸との間の左右回転方向の遊びによる衝撃により集中荷重が加わるため、剛性が高く硬度の高い部材を使用し、羽根部はブッシュ当たり部より硬度を低くすることにより、起動時の羽根部に加わる圧力はブッシュ当たり部により緩和することができ、ブッシュ当たり部には最低限の応力で済み、高寿命のランナーを得ることができ、さらに、衝撃の緩和作用で衝撃音も低減することができる。
【００１３】
請求項３に記載の発明の洗濯機等のポンプ装置は、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーと電動機の駆動軸との間に設けた遊びの空間部に、空間部の容積の５０％以上にダンパー用グリスを封入し、密閉部材で密閉したものであり、一般に、回転子に永久磁石を使用した電動機は、起動時に回転方向が定まらないが、このような電動機によりランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することによりランナーを低速回転して低騒音化し、耐久性を向上するとともに、小型にして洗濯機本体などの内部に容易に装着することができる。さらに、ダンパー用グリスによって、起動時の衝突音を最低限に押さえることができる。
【００１４】
請求項４に記載の発明の洗濯機等のポンプ装置は、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、羽根部とシュラウド部とを備え、前記シュラウド部は、羽根部との交点に凹状の逃がし部を設けたものであり、一般に、回転子に永久磁石を使用した電動機は、起動時に回転方向が定まらないが、このような電動機によりランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することによりランナーを低速回転して低騒音化し、耐久性を向上するとともに、小型にして洗濯機本体などの内部に容易に装着することができる。さらに、起動時の羽根部に加わる圧力は羽根部のたわみにより、ランナーのブッシュ当たり部にさらに緩和するように働き、ブッシュ当たり部には極めて有効的に、最小の応力しかかからない構成が得られるため、ランナーの長寿命化が図れる。
【００１５】
請求項５に記載の発明の洗濯機等のポンプ装置は、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーケーシングは、呼び水と吸水口からの空気を混合した気水を吐出する吐出部を有し、前記吐出部は中心を略水平位置より上方とし、前記吐出部の真上方向に気水分離ガイドを設けたものであり、一般に、回転子に永久磁石を使用した電動機は、起動時に回転方向が定まらないが、このような電動機によりランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することによりランナーを低速回転して低騒音化し、耐久性を向上するとともに、小型にして洗濯機本体などの内部に容易に装着することができる。さらに、渦室内で泡状になった気水を気水分離ガイドにより、空気だけを上方に設けた吐出口に効率よく導くことができ、気水分離化を促進することができ、自吸力を高め揚程能力を向上することができる。
【００１６】
【実施例】
以下、本発明の実施例について、図面を参照しながら説明する。
【００１７】
（実施例１）
図１および図２に示すように、ポンプケース１３は、呼び水を貯水可能で、ランナーケーシング１４を設けて渦室１５を形成し、その吐出部１６を気水分離室１７に連通させている。渦室１５の内部にランナー１８を回転自在に設け、電動機１９によりランナー１８を駆動する。電動機１９は、回転子２０を永久磁石で構成し、巻線２１に商用電源を接続することにより、商用電源の周波数により３０００ｒ／ｍｉｎまたは３６００ｒ／ｍｉｎで回転する。
【００１８】
吸水口２２は、ホースなどを連結し、風呂水などを吸入するもので、逆止弁２３と整流ガイド２４を介して渦室１５に連通している。整流ガイド２４は、円筒状の整流筒部２５を有し、整流筒部２５の端部外周とランナーケーシング１４との間にリング状の貫通口２６を設けている。吐出口２７は、気水分離室１７に連通し、呼び水工程で気水分離した空気を排出するとともに、揚水工程で吸水口２２から渦室１５に吸入された水を吐出する。呼び水口２８は、ポンプケース１３内に呼び水を供給するものである。
【００１９】
以上のように構成したポンプ装置２９を、図３に示すように、洗濯機外枠３０に取着し、先端に吸水フィルター３１を設けた吸水ホース３２を吸水口２２に連結し、吸水フィルター３１を浴槽３３内に入れている。給水弁３４は、注水口３５を通して、水受槽３６内に配設した洗濯兼脱水槽３７に給水するとともに、風呂水使用の場合は、所定時間（約２０秒）動作して、洗濯兼脱水槽３７内に注水すると同時に注水口３５に設けた呼び水吐出口３８から、呼び水口２６に連結した呼び水パイプ３９を通り、ポンプ装置２９のポンプケース１３内へ満水の状態に供給するようにしている。吐出口２５は、吐出パイプ４０を通して注水ガイド４１に連結し、注水ガイド４１に沿って洗濯兼脱水槽３７内に注水するように構成している。
【００２０】
洗濯兼脱水槽３７の底面に回転翼４２を回転自在に配設し、回転翼４２と洗濯兼脱水槽３７をモータ４３の回転により、ベルト４４を介して減速機４５によ駆動し、洗濯、脱水を行うように構成している。
【００２１】
上記構成において、洗濯機を風呂水を使用する場合の動作を説明する。まず、給水弁３１より所定時間給水して、洗濯兼脱水槽３７内に注水すると同時に、注水口３５に設けた呼び水吐出口３８から呼び水パイプ３９を通り、ポンプ装置２９のポンプケース１３内へ満水の状態に供給される。その直後からポンプ装置３９の電動機１９を回転し、ランナー１８が回転駆動される。
【００２２】
ランナー１８の回転により、吸水ホース３２内の空気とポンプケース１３内の呼び水が渦室１５内に吸入されて気水混合され、気泡を含んだ水が吐出部１６より吐出される。気泡は気水分離室１７を上昇するにしたがって水と分離されて吐出口２７より排出される。気泡を分離した水は貫通口２６を通って渦室１５内に循環される。
【００２３】
このようにして、吸水ホース３２内の空気が順次排出され、吸水ホース３２内の空気がなくなると、風呂水が吸水ホース３２を通して吸入されて、吐出口２７より吐出され、注水ガイド４１に沿って洗濯兼脱水槽３７内に注水する。洗濯兼脱水槽３７内に所定の水位まで給水されると、モータ４３により回転翼４２が回転し、洗濯兼脱水槽３７内の洗濯物を洗濯する。
【００２４】
洗濯行程終了後、すすぎ行程に入ると、再度洗濯兼脱水槽３７内に給水するが、吸水ホース３２内の空気は前行程で排出され、ランナー１８が停止しても逆止弁２３によって、ポンプ装置２９から吸水ホース３２内に空気が入らないため、ランナー１８の回転と同時に、即座に吸水ホース３２より風呂水を吸水して洗濯兼脱水槽３７に給水することができる。
【００２５】
一般に、回転子に永久磁石を使用した電動機は、起動時に回転方向が定まらないが、このような電動機１９によりランナー１８を左右いずれの方向に回転させた場合にも、渦室１５内でポンプケース１３内の呼び水と吸水口２２からの空気を気水混合することができ、ポンプケース１３内で気水分離して自吸水することができる。また、電動機１９として永久磁石回転子を用いた電動機を使用することによりランナー１８を低速回転して低騒音化し、耐久性を向上するとともに、小型にして洗濯機本体などの内部に容易に装着することができる。
【００２６】
（実施例２）
図４に示すように、電動機１９の駆動軸４６にブッシュ４７を固定し、ランナー１８のブッシュ当たり部４８との間に回転方向に回転角度で１２０〜２４０度の範囲で遊びを設けている。他の構成は上記実施例１と同じである。
【００２７】
上記構成において動作を説明すると、回転子に永久磁石を使用した電動機１９は起動トルクが小さいが、電動機１９の始動回転時、電動機１９の駆動軸４６に固定したブッシュ４７とランナー１８のブッシュ当たり部４８との間の遊びにより、低起動トルクでランナー１８の左右いずれかの回転が可能となり、渦室１５内でポンプケース１３内の呼び水と吸水口２２からの空気を気水混合することができ、ポンプケース１３内で気水分離して、風呂水を自吸水することができる。
【００２８】
（実施例３）
図５に示すように、ランナー１８は、電動機１９の駆動軸４６に設けたブシュ４７が当接するブッシュ当たり部４８と羽根部４９とを二重成形にて構成するとともに、ブッシュ当たり部４８より羽根部４９の硬度を低くし、羽根部４９に弾性をもたせている。さらに、ランナー１８の電動機１９の駆動軸４６との間に設けた遊びの空間部に、空間部の容積の５０％以上にダンパー用グリス５０を封入し、Ｏリング５１とキャップ５２とにより摺動自在に密閉している。他の構成は上記実施例１または２と同じである。
【００２９】
上記構成において動作を説明すると、電動機１９の起動時には、ランナー１８のブッシュ当たり部４８には、電動機１９の駆動軸４６に固定したブッシュ４７とブッシュ当たり部４８との間の遊びによる衝撃により集中荷重が加わる。ブッシュ当たり部４８に剛性が高く硬度の高い部材を使用し、羽根部４９はブッシュ当たり部４８より硬度を低くすることにより、起動時の羽根部４９に加わる圧力はブッシュ当たり部４８により緩和することができ、ブッシュ当たり部４８には最低限の応力で済み、高寿命のランナー１８を得ることができ、さらに、衝撃の緩和作用で衝撃音も低減することができる。なお、ブッシュ当たり部４８は、カーボン入りの合成樹脂にて十分に耐えることができた。
【００３０】
また、ランナー１８の電動機１９の駆動軸４６との間に設けた遊びの空間部に、空間部の容積の５０％以上にダンパー用グリス５０を封入することにより、図６に示すように、起動時の衝突音を最低限に押さえることができ、さらに、電動機１９の起動電圧は、５０／６０Ｈｚともに使用可能限界内に入れることができる。
【００３１】
（実施例４）
図７に示すように、ランナー１８は、羽根部４９とシュラウド部５３とを有しており、シュラウド部５３は、羽根部４９との交点に凹状の逃がし部５４を設けている。他の構成は上記実施例１〜３と同じである。
【００３２】
上記構成において動作を説明すると、起動時の羽根部４９に加わる圧力は羽根部４９のたわみにより、ランナー１８のブッシュ当たり部４８にさらに緩和するように働き、ブッシュ当たり部４８には極めて有効的に、最小の応力しかかからない構成が得られるため、ランナー１８の長寿命化を図ることができる。
【００３３】
（実施例５）
図３に示すように、ランナーケーシング１４は、渦室１５で混合した気水を吐出する吐出部１６を有し、この吐出部１６は中心を略水平位置より上方とし、この吐出部１６の真上方向に気水分離ガイド５５を設けている。他の構成は上記実施例１と同じである。
【００３４】
上記構成において動作を説明すると、渦室１５内で泡状になった気水を気水分離ガイド５５により、空気だけを上方に設けた吐出口２７に効率よく導くことができ、気水分離化を促進することができ、自吸力を高め揚程能力を向上することができる。すなわち、気水能力を低速回転（３０００〜３６００ｒ／ｍｉｎ）にて高効率に発揮し、気水能力を最大限に発揮できるため、自吸力の強いポンプ装置を提供することができる。
【００３５】
なお、上記実施例では、ポンプ装置２９を洗濯機に取着して風呂水を給水するように構成しているが、ポンプ装置２９は洗濯機以外の水利用機器における給水手段として使用できる。
【００３６】
【発明の効果】
以上のように本発明の請求項１に記載の発明によれば、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、前記電動機の駆動軸との間に左右回転方向の遊びを設けた洗濯機等のポンプ装置としたから、起動時に回転方向が定まらない電動機により、ランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することにより、ランナーを低速回転して低騒音化し、耐久性を向上するとともに、小型にして洗濯機本体などの内部に容易に装着することができる。さらに、電動機の起動トルクが小さくても、電動機の駆動軸との間に左右回転方向の遊びによって、ランナーを回転させることができ、渦室内でポンプケース内の呼び水と吸水口からの空気を気水混合することができ、ポンプケース内で気水分離して自吸水することができる。
【００３７】
また、請求項２に記載の発明によれば、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、前記電動機の駆動軸に設けたブッシュが当接するブッシュ当たり部と、羽根部とを二重成形にて構成し、前記ブッシュ当たり部より前記羽根部の硬度を低くし、前記羽根部に弾性をもたせた洗濯機等のポンプ装置としたから、起動時に回転方向が定まらない電動機により、ランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することにより、ランナーを低速回転して低騒音化し、耐久性を向上するとともに、小型にして洗濯機本体などの内部に容易に装着することができる。さらに、電動機の起動時にランナーのブッシュ当たり部には、電動機の駆動軸との間の左右回転方向の遊びによる衝撃により集中荷重が加わるため、剛性が高く硬度の高い部材を使用し、羽根部はブッシュ当たり部より硬度を低くすることにより、起動時の羽根部に加わる圧力はブッシュ当たり部により緩和することができ、ブッシュ当たり部には最低限の応力で済み、高寿命のランナーを得ることができ、さらに、衝撃の緩和作用で衝撃音も低減することができる。
【００３８】
また、請求項３に記載の発明によれば、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーと電動機の駆動軸との間に設けた遊びの空間部に、空間部の容積の５０％以上にダンパー用グリスを封入し、密閉部材で密閉した洗濯機等のポンプ装置としたから、起動時に回転方向が定まらない電動機により、ランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することにより、ランナーを低速回転して低騒音化し、耐久性を向上するとともに、小型にして洗濯機本体などの内部に容易に装着することができる。さらに、ダンパー用グリスによって、起動時の衝突音を最低限に押さえることができる。
【００３９】
また、請求項４に記載の発明によれば、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーは、羽根部とシュラウド部とを備え、前記シュラウド部は、羽根部との交点に凹状の逃がし部を設けた洗濯機等のポンプ装置としたから、起動時に回転方向が定まらない電動機により、ランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することにより、ランナーを低速回転して低騒音化し、耐久性を向上するとともに、小型にして洗濯機本体などの内部に容易に装着することができる。さらに、起動時の羽根部に加わる圧力は羽根部のたわみにより、ランナーのブッシュ当たり部にさらに緩和するように働き、ブッシュ当たり部には極めて有効的に、最小の応力しかかからない構成が得られるため、ランナーの長寿命化が図れる。
【００４０】
また、請求項５に記載の発明によれば、呼び水を貯水可能なポンプケースと、前記ポンプケース内に設け吸水口に連通した渦室を形成するランナーケーシングと、前記ランナーケーシング内に回転自在に設けたランナーと、前記ランナーを左右回転自在に駆動する電動機とを備え、前記ランナーの左右いずれかの回転により、前記ポンプケース内の呼び水と前記吸水口からの空気を気水混合し、前記ポンプケース内で気水分離して自吸水するようにした洗濯機等のポンプ装置であって、前記ランナーケーシングは、呼び水と吸水口からの空気を混合した気水を吐出する吐出部を有し、前記吐出部は中心を略水平位置より上方とし、前記吐出部の真上方向に気水分離ガイドを設けた洗濯機等のポンプ装置としたから、起動時に回転方向が定まらない電動機により、ランナーを左右いずれの方向に回転させた場合にも、渦室内でポンプケース内の呼び水と吸水口からの空気を気水混合することができ、ポンプケース内で気水分離して自吸水することができる。また、電動機として永久磁石回転子を用いた電動機を使用することにより、ランナーを低速回転して低騒音化し、耐久性を向上するとともに、小型にして洗濯機本体などの内部に容易に装着することができる。さらに、渦室内で泡状になった気水を気水分離ガイドにより、空気だけを上方に設けた吐出口に効率よく導くことができ、気水分離化を促進することができ、自吸力を高め揚程能力を向上することができる。
【図面の簡単な説明】
【図１】  本発明の第１の実施例の洗濯機等のポンプ装置の断面図
【図２】  同洗濯機等のポンプ装置の一部切欠した側面図
【図３】  同洗濯機等のポンプ装置を具備した洗濯機の断面図
【図４】  本発明の第２の実施例の洗濯機等のポンプ装置の要部分解斜視図
【図５】  本発明の第３の実施例の洗濯機等のポンプ装置の要部断面図
【図６】  同洗濯機等のポンプ装置の特性図
【図７】  本発明の第４の実施例の洗濯機等のポンプ装置のランナーの正面図
【図８】  従来の洗濯機等のポンプ装置の断面図
【図９】  同洗濯機等のポンプ装置の一部切欠した側面図
【符号の説明】
１３  ポンプケース
１４  ランナーケーシング
１５  渦室
１８  ランナー
１９  電動機
２２  吸水口
【図１】
0003637154.tif 000002
【図２】
0003637154.tif 000003
【図３】
0003637154.tif 000004
【図４】
0003637154.tif 000005
【図５】
0003637154.tif 000006
【図６】
0003637154.tif 000007
【図７】
0003637154.tif 000008
【図８】
0003637154.tif 000009
【図９】
0003637154.tif 000010